(57)【要約】【課題】ＳＦ６が充填された場合と等価の基準圧力値（ＰＴ）で、空気が充填されている状態での内部アークによる耐圧強度の試験を行う。【解決手段】基準圧力値（ＰＴ）が、例えば、予め与えられた既知のアークエネルギーである基準アークエネルギー（ＴＡ）に対する上限圧力となる基準圧力値（ＰＴ）として記憶され、絶縁ガスとして空気を充填し、基準アークエネルギー（ＴＡ）の状態にされた際に、接地容器１の内圧が基準圧力値（ＰＴ）となるように、空気が充填される初期圧力（Ｐ０）が設定される（実線）。【選択図】図４
2019062611.tif 000002
【特許請求の範囲】
【請求項１】
導体が配され内部に絶縁ガスが充填される容器と、
前記導体に供給される電力に応じたアークエネルギーに対する前記容器の内圧の状況を把握する状況把握手段とを備えたガス絶縁機器の試験装置において、
前記絶縁ガスは空気であり、
前記絶縁ガスがＳＦ６であった場合における、予め設定された基準アークエネルギーに対する前記容器の内圧である基準圧力値が把握され、
前記空気は、
前記容器が前記基準アークエネルギーの状態にされた際に、前記容器の内圧が前記基準圧力値となる初期圧力で、前記容器に充填されている
ことを特徴とするガス絶縁機器の試験装置。
【請求項２】
請求項１に記載のガス絶縁機器の試験装置において、
前記ＳＦ６と前記空気のアークエネルギーと圧力との関係がそれぞれ把握され、
アークエネルギーにおける前記ＳＦ６と前記空気の圧力が加味されて、前記空気を充填する初期圧力が設定される
ことを特徴とするガス絶縁機器の試験装置。
【請求項３】
請求項２に記載のガス絶縁機器の試験装置において、
前記初期圧力は、
前記基準圧力値に対し、前記空気のアークエネルギーに対する圧力の上昇状況の値が減じられて設定される
ことを特徴とするガス絶縁機器の試験装置。
【請求項４】
請求項２もしくは請求項３に記載のガス絶縁機器の試験装置において、
前記ＳＦ６と前記空気のアークエネルギーと圧力との関係は、前記容器、前記導体の材質に応じて把握されている
ことを特徴とするガス絶縁機器の試験装置。
【請求項５】
絶縁ガスが充填された容器の内部に導体が配され、
前記導体に供給される電力に応じたアークエネルギーに対する前記容器の内部の圧力の状況を把握するガス絶縁機器の試験方法において、
前記絶縁ガスがＳＦ６であった場合における、予め設定された基準アークエネルギーの時の、前記容器の内圧を基準圧力値として把握し、
前記絶縁ガスとして空気を充填し、
前記空気が充填される初期圧力を、前記容器が前記基準アークエネルギーの状態とされた際に、前記容器の内圧が基準圧力値となるように設定し、
前記アークエネルギーに対する前記容器の内圧の状況を前記空気が充填された状態で把握する
ことを特徴とするガス絶縁機器の試験方法。
【発明の詳細な説明】
【技術分野】
【０００１】
本発明は、ガス絶縁機器の試験装置及びガス絶縁機器の試験方法に関する。
【背景技術】
【０００２】
ガス絶縁機器として、接地容器に導体が配され、接地容器の内部に絶縁ガス（ＳＦ６ガス）が充填されたＳＦ６ガス絶縁電力機器が知られている。ＳＦ６ガス絶縁電力機器の代表的な機器としては、ＳＦ６ガス絶縁開閉装置やスイッチギヤ、遮断機が知られている。更に、ＳＦ６ガス絶縁開閉装置としては、開閉器や断路器が知られている。
【０００３】
ＳＦ６ガス絶縁電力機器では、発生したアークにより接地容器の内部の圧力が上昇するため、遮断の期間によっては圧力の上昇が過大になり、接地容器が破損する虞があるのが現状であった。このため、接地容器の容積を大きくしたり、破損を防止する物理的な部材を設けたりする等して、接地容器が破損することを抑制している。そして、接地容器の内部アークによる耐圧強度が試験され、接地容器の信頼性が保たれているのが実情である。
【０００４】
内部アークによる耐圧強度の試験を行う際に、万一、試験中に接地容器が破損した場合、ＳＦ６ガスが外部に漏れて大気中に放出される虞がある。このため、ＳＦ６ガスの代わりに空気を充填し、内部アークによる耐圧強度の試験を行う技術が従来から提案されている（特許文献１参照）。
【０００５】
特許文献１に開示された技術は、導体の形状を変更することで、空気が充填された接地容器の内部アークによる圧力上昇特性を、ＳＦ６が充填された場合と等価にして、内部アークによる耐圧強度の試験を実施している。このため、万一、試験中に接地容器が破損しても、大気中には空気が放出されるだけなので、環境に悪影響を及ぼすことがない。従って、内部アークによる耐圧強度の試験を安全に実施することが可能になる。
【０００６】
しかし、特許文献１の技術は、内部アークによる圧力上昇特性をＳＦ６が充填された場合と等価にするため、導体の形状を変更して（構造を変更して）アークエネルギーを変化させている。しかし、内部アークと内圧との関係が等価になったとしても、内部の構造が異なっているため、圧力の上昇の過程で、接地容器の環境変化に対する状況や、耐圧特性等が変わってしまう虞がある。従って、内部アークによる耐圧強度の試験を行う場合、ＳＦ６が充填された場合と機器の構造を同一にすることが重要である。
【０００７】
また、接地容器や導体の材料によっても内部アークによる圧力上昇特性には影響が及ぶため、試験対象の機器の構造を変更する場合、接地容器や導体の材料毎にそれぞれの構造の機器を準備する必要があり、試験を実施するには、多くの費用と多くの時間が必要であり、労力とコストが嵩むのが現状であった。
【先行技術文献】
【特許文献】
【０００８】
【特許文献１】特開昭５５−１０８５０号公報
【発明の概要】
【発明が解決しようとする課題】
【０００９】
本発明は、上記状況に鑑みてなされたもので、ＳＦ６が充填される容器と同一構造の容器に空気を封入しても、圧力上昇特性をＳＦ６が充填された場合と等価にすることができるガス絶縁機器の試験装置及びガス絶縁機器の試験方法を提供することを目的とする。
【課題を解決するための手段】
【００１０】
上記目的を達成するための請求項１に係る本発明のガス絶縁機器の試験装置は、導体が配され内部に絶縁ガスが充填される容器と、前記導体に供給される電力に応じたアークエネルギーに対する前記容器の内圧の状況を把握する状況把握手段とを備えたガス絶縁機器の試験装置において、前記絶縁ガスは空気であり、前記絶縁ガスがＳＦ６であった場合における（ＳＦ６の初期の充填圧力がＰ１であった場合における）、予め設定された基準アークエネルギー（ＴＡ）に対する前記容器の内圧である基準圧力値（ＰＴ）が把握され、前記空気は、前記容器が前記基準アークエネルギー（ＴＡ）の状態にされた際に、前記容器の内圧が前記基準圧力値（ＰＴ）となる初期圧力{Ｐ０（＜Ｐ１）}で、前記容器に充填されていることを特徴とする。
【００１１】
請求項１に係る本発明では、絶縁ガスがＳＦ６であった場合における（ＳＦ６の初期の充填圧力がＰ１であった場合における）、予め設定された基準アークエネルギー（ＴＡ）に対する容器の内圧である基準圧力値（ＰＴ）、例えば、予め与えられた既知のアークエネルギーである基準アークエネルギー（ＴＡ）に対する、上限圧力となる内圧である基準圧力値（ＰＴ）が把握される。そして、空気は、容器が基準アークエネルギー（ＴＡ）の状態にされた際に、基準圧力値（ＰＴ）となる初期圧力{Ｐ０（＜Ｐ１）}で、容器に充填されている。
【００１２】
具体的には、ＳＦ６と空気のアークエネルギー（電流、電圧、印加時間）に対する容器の内圧の関係が、容器、導体の材料毎（容器及び導体の少なくとも一方の材料毎）にマップ等により記憶され、アークエネルギーに対する容器の内圧の上昇線の傾きの違いがデータ化されている。そして、基準アークエネルギー（ＴＡ）と内圧の基準圧力値（ＰＴ）（例えば、破損が生じない最も高い圧力）が与えられることで、ＳＦ６と空気の内圧の上昇線の傾きの違いから、アークエネルギーがゼロの場合の空気の内圧の値{容器に充填される初期圧力（Ｐ０）}が逆算され、空気の充填時の初期圧力（Ｐ０）が設定される。
【００１３】
これにより、容器、導体の材料毎に、予め与えられた基準アークエネルギー（ＴＡ）に対する基準圧力値（ＰＴ）となる、空気の初期圧力（Ｐ０：初期の封入圧力）の値を設定することができる。このため、ＳＦ６が充填される容器と同一構造の容器に空気を封入しても、圧力上昇特性をＳＦ６が充填された場合と等価にすることが可能になる。
【００１４】
そして、請求項２に係る本発明のガス絶縁機器の試験装置は、請求項１に記載のガス絶縁機器の試験装置において、前記ＳＦ６と前記空気のアークエネルギーと圧力との関係がそれぞれ把握され、アークエネルギーにおける前記ＳＦ６と前記空気の圧力が加味されて、前記空気を充填する初期圧力（Ｐ０）が設定されることを特徴とする。
【００１５】
請求項２に係る本発明では、アークエネルギーにおける、ＳＦ６と空気の圧力が加味されて、即ち、容器の内圧の上昇線の傾きの違いが加味されて、空気を充填する初期圧力が設定される。
【００１６】
また、請求項３に係る本発明のガス絶縁機器の試験装置は、請求項２に記載のガス絶縁機器の試験装置において、前記初期圧力（Ｐ０）は、前記基準圧力値（ＰＴ）に対し、前記空気のアークエネルギーに対する圧力の上昇状況の値が減じられて設定されることを特徴とする。
【００１７】
請求項３に係る本発明では、空気のアークエネルギーに対する圧力の上昇状況の値が、例えば、空気の圧力の上昇値が、基準圧力値から減じられて設定されるので、基準アークエネルギーで、基準圧力値を得る場合の空気の初期圧力を適切に設定することができる。
【００１８】
また、請求項４に係る本発明のガス絶縁機器の試験装置は、請求項２もしくは請求項３に記載のガス絶縁機器の試験装置において、前記ＳＦ６と前記空気のアークエネルギーと圧力との関係は、前記容器、前記導体の材質に応じて把握されていることを特徴とする。
【００１９】
請求項４に係る本発明では、容器、導体の材質（容器及び導体の少なくとも一方）に応じてＳＦ６と空気のアークエネルギーと圧力との関係が把握されているので、容器、導体の材質に応じた基準圧力値（ＰＴ）に応じて、空気を充填する初期圧力（Ｐ０）を適切に設定することができる。
【００２０】
上記目的を達成するための請求項５に係る本発明のガス絶縁機器の試験方法は、絶縁ガスが充填された容器の内部に導体が配され、前記導体に供給される電力に応じたアークエネルギーに対する前記容器の内圧の状況を把握するガス絶縁機器の試験方法において、前記絶縁ガスがＳＦ６であった場合における、予め設定された基準アークエネルギー（ＴＡ）の時の、前記容器の内圧を基準圧力値（ＰＴ）として把握し、前記絶縁ガスとして空気を充填し、前記空気が充填される初期圧力（Ｐ０）を、前記容器が前記基準アークエネルギー（ＴＡ）の状態とされた際に、前記容器の内圧が基準圧力値（ＰＴ）となるように設定し、前記アークエネルギーに対する前記容器の内圧の状況を前記空気が充填された状態で把握することを特徴とする。
【００２１】
請求項５に係る本発明では、基準アークエネルギー（ＴＡ）の時に、容器の内圧が所定圧力の値（ＰＴ）となるように空気の初期圧力（Ｐ０）を設定し、ＳＦ６が充填された場合と等価の状態で、アークエネルギーに対する容器の内圧の状況（例えば、圧力上昇特性）を空気が充填された状況で把握する（試験を行う）ことができる。
【００２２】
このため、ＳＦ６が充填される容器と同一構造の容器に空気を封入しても、圧力上昇特性をＳＦ６が充填された場合と等価にすることが可能になる。
【発明の効果】
【００２３】
本発明のガス絶縁機器の試験装置、及び、ガス絶縁機器の試験方法は、ＳＦ６が充填される容器と同一構造の容器に空気を封入しても、圧力上昇特性をＳＦ６が充填された場合と等価にすることが可能になる。この結果、内部アークによる耐圧強度の試験を行う場合、費用を最小限に抑えて、環境に悪影響を及ぼすことなく、安全に実施することが可能になる。
【図面の簡単な説明】
【００２４】
【図１】本発明の一実施例に係るガス絶縁機器の試験装置の概略構成図である。
【図２】本発明の一実施例に係るガス絶縁機器の試験装置の概略ブロック図である。
【図３】ＳＦ６と空気の傾きの違いを説明するためのアークエネルギーと圧力との関係を表すグラフである。
【図４】ＳＦ６と空気の初期封入圧力の違いを説明するためのアークエネルギーと圧力との関係を表すグラフである。
【図５】ＳＦ６と空気の初期封入圧力の違いを説明するためのアークエネルギーと圧力との関係を表すグラフである。
【発明を実施するための形態】
【００２５】
本発明のガス絶縁機器の試験装置では、絶縁ガスが充填された容器の内部に導体が配され、導体に供給される電力に応じたアークエネルギー（電流、電圧、印加時間）に対する容器の内圧の状況が試験される。即ち、内部アークによる容器の耐圧強度の試験が実施される。
【００２６】
具体的には、絶縁ガスがＳＦ６であった場合における、予め設定された基準アークエネルギー（ＴＡ）の時の、容器の内圧が基準圧力値（ＰＴ）として記憶され（把握され）、絶縁ガスとして空気が容器に充填される。空気の充填に際して、容器が基準アークエネルギー（ＴＡ）の状態にされた際に、容器の内圧が基準圧力値（ＰＴ）となるように、封入時の初期圧力（Ｐ０）が設定される。この状態で、アークエネルギーに対する容器の内圧の状況が、容器に空気が充填されている状態で把握される（空気が充填された状態で内部アークによる容器の耐圧強度の試験が実施される）。
【００２７】
基準圧力値（ＰＴ）は、例えば、予め与えられた既知のアークエネルギーである基準アークエネルギー（ＴＡ）に対する上限圧力となる基準圧力値（ＰＴ）として記憶される。絶縁ガスとして空気を充填し、基準アークエネルギー（ＴＡ）の状態にされた際に、容器の内圧が基準圧力値（ＰＴ）となるように、空気が充填される初期圧力（Ｐ０）が設定されることで、アークエネルギーに対する容器の内圧の状況（例えば、内部アークによる圧力上昇特性）の試験が、ＳＦ６が充填された場合と等価の状態で実施される。
【００２８】
従って、ＳＦ６が充填される容器と同一構造の容器に空気を封入しても、圧力上昇特性をＳＦ６が充填された場合と等価にすることが可能になる。この結果、内部アークによる耐圧強度の試験を行う場合、費用を最小限に抑えて、環境に悪影響を及ぼすことなく、安全に実施することが可能になる。
【００２９】
図１、図２に基づいて本発明の一実施例に係るガス絶縁機器の試験装置を具体的に説明する。
【００３０】
図１には本発明の一実施例に係るガス絶縁機器の試験装置を概略的に表した系統状況を示してある。
【００３１】
図に示すように、試験装置１１には、内部に絶縁ガスとして空気が充填される金属製（例えば、鉄やアルミニウム）の容器としての接地容器１が備えられている。接地容器１には導体２（例えば、銅）が配され、導体２は電源３を備えた通電回路４で接続されている。通電回路４には通電状態を開閉する開閉手段５が設けられ、開閉手段５により導体２の通電が制御される。開閉手段５により高電圧の状態で導体２の通電を開始した場合、アーク６が発生する。アーク６が発生することで、内部アークエネルギーにより接地容器１の内圧が上昇する。
【００３２】
試験装置１１には、電源３の制御、開閉手段５の制御を行う状況把握手段としての制御装置７が備えられている。制御装置７の試験機能８により、電源３の制御、開閉手段５の制御が行われ、内部アークエネルギーによる接地容器１の内圧の上昇状況（内部アークによる接地容器１の耐圧強度）の試験が実施される。
【００３３】
一方、接地容器１には、空気充填手段１２が備えられ、空気充填手段１２により予め設定された初期圧力（Ｐ０）で接地容器１に空気が充填される。空気充填手段１２は制御装置７の充填機能９の制御により動作され、初期圧力（Ｐ０）で接地容器１に空気が充填される。
【００３４】
具体的には後述するが、空気を充填する初期圧力（Ｐ０）は、絶縁ガスが空気であっても、ＳＦ６であった場合と等価の内圧の上昇状況が得られるように設定されている。このため、接地容器１の構造を変更することなく、ＳＦ６が充填された場合と等価の状態で、アークエネルギーに対する接地容器１の内圧の状況（例えば、圧力上昇特性）を空気が充填された状況で把握する（試験を行う）ことができる。
【００３５】
従って、万一、試験中に接地容器１が破損しても、大気中には空気が放出されるだけなので、環境に悪影響を及ぼすことがなく、内部アークによる耐圧強度の試験を安全に実施することが可能になる。
【００３６】
上述したように、制御装置７は充填機能９を有し、充填機能９により、絶縁ガスがＳＦ６であった場合と等価の内圧の上昇状況が得られるように、空気が所望の初期圧力（Ｐ０）が設定される。図２に基づいて初期圧力（Ｐ０）を設定するための機能を説明する。
【００３７】
図２には初期圧力を設定して空気を充填するためのする機能（充填機能９）の部位を説明する制御装置７のブロック構成を示してある。
【００３８】
図に示すように、充填機能９には記憶部１５が備えられている。記憶部１５には、ＳＦ６と空気のアークエネルギー（電流、電圧、印加時間）に対する接地容器１の内圧の関係が、接地容器１や導体２（接地容器１及び導体２の少なくとも一方）の材料毎にマップＭにより記憶されている。材料毎のマップＭにより、アークエネルギーに対する接地容器１の内圧の上昇線の傾きの違いがデータ化されて記憶されている。
【００３９】
また、記憶部１５には、基準圧力値（ＰＴ）となる、空気の初期圧力（Ｐ０）を設定するためのマップＮが記憶されている。マップＮは、絶縁ガスがＳＦ６であった場合の、基準アークエネルギー（ＴＡ）と内圧の基準圧力値（ＰＴ）（例えば、破損が生じない最も高い圧力）が与えられることで、ＳＦ６と空気の内圧の上昇線の傾きの違いから（マップＭの情報から）、アークエネルギーがゼロの場合の空気の内圧の値{接地容器１に充填される初期圧力（Ｐ０）}が逆算され、空気の充填時の初期圧力（Ｐ０）が設定されるマップである。
【００４０】
充填機能９には導出部１６が備えられている。導出部１６には、接地容器１、導体２の材料の情報が入力される。導出部１６では、入力された材料の種類に応じたマップＮに基づいて、接地容器１に充填される空気の初期圧力（Ｐ０）が導出される。導出された初期圧力（Ｐ０）の情報は、空気充填手段１２に送られ、導出された初期圧力（Ｐ０）で空気が接地容器１に充填される。
【００４１】
図３に基づいてマップＭを説明する。図３にはＳＦ６と空気の傾きの違いを説明するためのアークエネルギーと圧力との関係を表すグラフを示してあり、（ａ）は接地容器１、導体２の材料の組み合わせ（任意の金属を用いた組み合わせ）がａの金属、（ｂ）は組み合わせがｂの金属、（ｃ）は組み合わせがｃの金属の状況である。
【００４２】
図３（ａ）（ｂ）（ｃ）に示すように、各金属共に、ＳＦ６（図中一点鎖線で示してある）と空気（図中実線で示してある）のそれぞれが接地容器１に充填された状況で、アークエネルギー（電流、電圧、印加時間）が大きくなるにしたがって、接地容器１の圧力（内圧）が高くなっている。そして、金属の種類の違いにより（例えば、接地容器が鉄、アルミニウム、導体２が銅の任意の組み合わせにより）、即ち、組み合わせがａの金属（ａ）、組み合わせがｂの金属（ｂ）、組み合わせがｃの金属（ｃ）の違いにより、アークエネルギーに対する圧力の変化の傾きが異なっている。
【００４３】
絶縁ガスがＳＦ６であった場合の基準圧力値（ＰＴ）となる基準アークエネルギー（ＴＡ）の時、ＳＦ６の圧力よりも空気の圧力（ＰＡ）が大きな値になっている。言い換えれば、ＳＦ６の圧力と空気の圧力が等しくなる場合（ＳＦ６の圧力が基準アークエネルギー（ＴＡ）となる圧力の場合）は、空気のアークエネルギーの値が基準アークエネルギー（ＴＡ）よりも小さくなっている。
【００４４】
図４、図５に基づいてマップＮを説明する。図４にはＳＦ６と空気の初期封入圧力の違いを説明するためのアークエネルギーと圧力との関係を表すグラフを示してあり、図４は基本的な概念で、図５（ａ）は接地容器１、導体２の材料の組み合わせ（任意の金属を用いた組み合わせ）がａの金属、図５（ｂ）は組み合わせがｂの金属、図５（ｃ）は組み合わせがｃの金属の状況であり、ＳＦ６を一点鎖線で表し、空気を実線で表している。
【００４５】
図４に示すように、絶縁ガスがＳＦ６であった場合の、基準アークエネルギー（ＴＡ）と接地容器１の内圧の基準圧力値（ＰＴ）（例えば、破損が生じない最も高い圧力）が与えられている。この時、ＳＦ６の初期の充填圧力は（Ｐ１）となっている。基準アークエネルギー（ＴＡ）に対する基準圧力値（ＰＴ）は、接地容器１、導体２の材質により異なった値となる。
【００４６】
ＳＦ６と空気の内圧の上昇線の傾きの違いから、即ち、図３に示したマップＭの情報から、基準アークエネルギー（ＴＡ）にされた際に、基準圧力値（ＰＴ）となる空気の初期の圧力値が逆算されてＰ０とされる、つまり、アークエネルギーがゼロの場合の空気の内圧の値（接地容器１に充填される初期圧力（Ｐ０））が逆算され、空気の充填時の初期圧力（Ｐ０）が設定される。
【００４７】
このため、ＳＦ６と空気のアークエネルギーと圧力との関係がそれぞれ把握され、アークエネルギーにおけるＳＦ６と空気の圧力が加味されて、空気を充填する初期圧力（Ｐ０）が設定される。
【００４８】
図５（ａ）（ｂ）（ｃ）に示すように、金属毎に、空気の充填時の初期圧力（Ｐ０）が設定される。例えば、基準アークエネルギー（ＴＡ）の時の空気の圧力の増加分（空気のアークエネルギーに対する圧力の上昇状況の値）が基準圧力値（ＰＴ）から減算されることで、空気の充填時の初期圧力（Ｐ０）が設定される。このため、基準アークエネルギー（ＴＡ）で、基準圧力値（ＰＴ）を得る場合の空気の初期圧力（Ｐ０）を適切に設定することができる。
【００４９】
上述したように、上述した実施例で説明した、ガス絶縁機器の試験装置及びガス絶縁機器の試験方法では、基準圧力値（ＰＴ）が、例えば、予め与えられた既知のアークエネルギーである基準アークエネルギー（ＴＡ）に対する上限圧力となる基準圧力値（ＰＴ）として記憶され、絶縁ガスとして空気を充填し、基準アークエネルギー（ＴＡ）の状態にされた際に、接地容器１の内圧が基準圧力値（ＰＴ）となるように、空気が充填される初期圧力（Ｐ０）が設定される。
【００５０】
これにより、アークエネルギーに対する接地容器１の内圧の状況（例えば、内部アークによる圧力上昇特性）の試験を、ＳＦ６が充填された場合と等価の基準圧力値（ＰＴ）の状態で実施することができる。このため、試験前の事前検討時（適切な試験パラメータの設定等）の支援、試験の合理的な遂行が容易になる。
【００５１】
従って、ＳＦ６が充填される接地容器１と同一構造の接地容器１に空気を封入して内部アークによる耐圧強度の試験を行っても、圧力上昇特性をＳＦ６が充填された場合と等価にすることが可能になる。この結果、内部アークによる耐圧強度の試験を行う場合、費用を最小限に抑えて、環境に悪影響を及ぼすことなく、安全に実施することが可能になる。
【産業上の利用可能性】
【００５２】
本発明は、ガス絶縁機器の試験装置及びガス絶縁機器の試験方法の産業分野で利用することができる。
【符号の説明】
【００５３】
１  接地容器
２  導体
３  電源
４  通電回路
５  開閉手段
６  アーク
７  制御装置
８  試験機能
９  充填機能
１１  試験装置
１２  空気充填手段
１５  記憶部
１６  導出部
【図１】
2019062611.tif 000003
【図２】
2019062611.tif 000004
【図３】
2019062611.tif 000005
【図４】
2019062611.tif 000006
【図５】
2019062611.tif 000007